(57)【要約】【課題】簡単な構成で、隣接する帯域からの妨害波の干渉を防止して希望波の受信感度を低下させることなく希望波を受信する。【解決手段】受信機１０は、周波数を異にする複数の同一内容の信号波の１つを希望波として受信し、検出レベル値が予め規定されたレベル値以上である場合、妨害波が希望波よりも周波数が高い側に位置するか低い側に位置するかを判定して、妨害波の周波数から最も離れた周波数の信号波を前記希望波として選択する。【選択図】        図５
2004364175.tif 000002
【特許請求の範囲】
【請求項１】
周波数を異にする複数の同一内容の信号波の１つを希望波として受信して出力する受信機において、
前記希望波に対する妨害波が該希望波よりも周波数が高い側に位置するか低い側に位置するかを判定する判定手段と、
前記判定手段による判定結果に応じて前記妨害波の周波数から最も離れた周波数の信号波を前記希望波として選択する選択手段とを備えていることを特徴とする受信機。
【請求項２】
判定手段は、受信された電波に関する入力レベルを検出して検出レベル値を得るレベル検出部と、
信号波毎の受信感度を求めて受信感度値を得る受信感度判定部と、
前記検出レベル値が予め規定されたレベル値以上である際、前記受信感度値に応じて妨害波が希望波よりも周波数が高い側に位置するか低い側に位置するかを判定する妨害波判定部とを備えていることを特徴とする請求項１記載の受信機。
【請求項３】
受信感度判定部は、信号波毎のＣ／Ｎを求めて受信感度値としてＣ／Ｎ値を得るようにしたことを特徴とする請求項２記載の受信機。
【請求項４】
受信感度判定部は、信号波毎のビットエラーレートを求めて受信感度値としてビットエラーレート値を得るようにしたことを特徴とする請求項２記載の受信機。
【請求項５】
選択手段は、信号波毎に設けられ当該信号波の通過を許すバンドパスフィルタと、
判定手段による判定結果に応じて妨害波の周波数から最も離れた周波数の信号波に対応するバンドパスフィルタに切替制御を行う切替制御手段とを有することを特徴とする請求項１から請求項４のうちのいずれか１項記載の受信機。
【請求項６】
選択手段は、ハイパスフィルタ及びローパスフィルタと、
判定手段による判定結果が妨害波が希望波よりも周波数が高い側に位置することを示していると前記ローパスフィルタに切替制御を行い、前記判定手段による判定結果が前記妨害波が前記希望波よりも周波数が低い側に位置することを示していると前記ハイパスフィルタに切替制御を行う切替制御手段とを有することを特徴とする請求項１から請求項４のうちのいずれか１項記載の受信機。
【発明の詳細な説明】
【０００１】
【発明の属する技術分野】
この発明は、隣接する帯域からの妨害波による干渉を除去して所望の電波（希望波）を精度よく受信することのできる受信機に関するものである。
【０００２】
【従来の技術】
一般に、受信機では、所望の電波（希望波）を良好に受信する際には、隣接する帯域からの妨害波による干渉を除去する必要があり、このため、受信機では、各種フィルタを備えて、妨害波を除去するようにしている。
【０００３】
妨害波の干渉を低減するため、妨害波を拒否する可変帯域被受信チャネルフィルタを備えて、所定量の干渉を検出して、可変帯域被受信チャネルフィルタの帯域を調整するようにしたものがある（例えば、特許文献１参照）。
【０００４】
さらに、ＦＤＭＡ（周波数分割多重接続）方式による無線通信システムに割り当てられた周波数帯域の境界近傍を減衰域とするフィルタ（干渉波成分除去用フィルタ）を備えて、干渉波が存在すると、スイッチを切り換えて、干渉波成分除去用フィルタをアンテナ装置と低雑音増幅器との間に挿入するようにしたものがある（例えば、特許文献２参照）。
【０００５】
【特許文献１】
特許第２６６３７１６号公報（第３頁〜第４頁、第１図〜第５図）
【特許文献２】
特開平６−１３２８３８号公報（段落（０００６）〜段落（０００８）、第１図〜第３図）
【０００６】
【発明が解決しようとする課題】
ところが、従来の受信機は以上のように構成されているので、希望波の周波数が高く、しかも隣接妨害波との周波数差が小さいと、所定量の干渉を検出して、可変帯域被受信チャネルフィルタの帯域を調整しようとすると、希望波自体も減衰されてしまい、受信感度が低下してしまうなどの課題があった。
【０００７】
さらに、従来の受信機では、希望波と干渉波との周波数関係を検出して、スイッチを切替制御しているため、その回路構成が複雑となるばかりでなく、回路規模が増大してしまうという課題があった。
【０００８】
この発明は上記のような課題を解決するためになされたもので、簡単な構成で、隣接する帯域からの妨害波の干渉を除去して希望波の受信感度を低下させることなく受信することのできる受信機を得ることを目的とする。
【０００９】
【課題を解決するための手段】
この発明に係る受信機は、周波数を異にする複数の同一内容の信号波の１つを希望波として受信して出力し、希望波に対する妨害波が該希望波よりも周波数が高い側に位置するか低い側に位置するかを判定する判定手段と、この判定結果に応じて妨害波の周波数から最も離れた周波数の信号波を前記希望波として選択する選択手段とを有するものである。
【００１０】
【発明の実施の形態】
以下、この発明の実施の一形態を説明する。
実施の形態１．
ここでは、受信機として衛星（サテライト）デジタルラジオ放送を受信する受信機を例にあげて説明する。図１において、衛星デジタルラジオ放送の一つである米国のＳＩＲＩＵＳラジオ放送では、衛星波１及び衛星波２の順にラジオ放送信号（信号波）を送出しており、衛星波１と衛星波２とは同一のラジオ放送番組内容を放送している。そして、これら衛星波１及び衛星波２は周波数軸上に順次配列されている。また、ＳＩＲＩＵＳラジオ放送においては、ビル等の受信妨害に対処するため、衛星波１と衛星波２との間の帯域に地上波が位置づけられている。
【００１１】
図１においては、ＳＩＲＩＵＳラジオ放送よりも高い周波数側にＳＩＲＩＵＳラジオ放送に隣接して、ＸＭラジオ放送が割り当てられており、このＸＭラジオ放送では、衛星波１Ａ、衛星波２Ａ、地上波Ａ、地上波Ｂ、衛星波２Ｂ、衛星波１Ｂの順に帯域が割り当てられており、後述するように、地上波Ａ及びＢが、ＳＩＲＩＵＳラジオ放送に対して妨害波として作用することがある（ここでは、ＳＩＲＩＵＳ衛星波が希望波であり、ＸＭ地上波が妨害波である）。
【００１２】
例えば、ＳＩＲＩＵＳ衛星波を受信している際に、ＸＭ地上波のレベルが大きいと、受信機内、特に、低雑音増幅器（ＬＮＡ：Ｌｏｗ  Ｎｏｉｓｅ  Ａｍｐｌｉｆｉｅｒ）又は周波数変換器（Ｄ／Ｃ：Ｄｏｗｎ  Ｃｏｎｖｅｒｔｅｒ）において、相互変調歪みが生じて、図２に示すように、結果的にＳＩＲＩＵＳ衛星波がＸＭ地上波に妨害されて、ＳＩＲＩＵＳ衛星波の受信状態が悪化してしまう。従って、上述のＳＩＲＩＵＳ衛星波を良好に受信するためには、特に、ＸＭ地上波の妨害を防ぐ必要がある。
【００１３】
ところで、ＸＭ地上波による妨害に対処するために、図３において、符号Ａで示すフィルタ特性（ローパスフィルタ（ＬＰＦ）特性）を有するＬＰＦを高周波部（ＲＦ部）に挿入して、ＸＭ地上波をカットしようとしても、信号周波数に対してＳＩＲＩＵＳ衛星波とＸＭ地上波（妨害波）との周波数差が小さいと、急峻な特性を有するＬＰＦを得ることは難しく（ＳＩＲＩＵＳ衛星電波と妨害波との間で十分な減衰比を有するフィルタを得ることは困難である）、結果的に、ＸＭ地上波をカットすることができない。
【００１４】
同様にして、図３に符号Ｅで示すフィルタ特性（ＢＥＦ（Ｂａｎｄ  Ｅｎａｂｌｅ  Ｆｉｌｔｅｒ）特性）を有するフィルタを用いた場合においても、ＳＩＲＩＵＳ衛星波と妨害波との間で十分な減衰比を得ようとすると、ＳＩＲＩＵＳ衛星波の減衰量も不可避的に増加して、受信感度が劣化してしまう。
【００１５】
また、図３において、符号Ｂで示すフィルタ特性（バンドパスフィルタ（ＢＰＦ））を有するＢＰＦを用いた場合において、ＳＩＲＩＵＳ衛星波と妨害波との間で十分な減衰比を得ようとすると、ＳＩＲＩＵＳ衛星波も減衰してしまう結果、受信感度が低下してしまうことになる。
【００１６】
ところで、ＳＩＲＩＵＳラジオ放送において、衛星波１と衛星波２とが同一のラジオ放送番組内容を送出していることを考慮すると、衛星波１又は２のいずれか一方が受信できれば十分である。このため、図３において、符号Ｃで示すフィルタ特性（ＢＰＦ特性）を有するＢＰＦを用いれば、ＸＭ地上波から離れた衛星波１を良好に受信できることになる。
【００１７】
一方、符号Ｄで示すＢＰＦ特性を有するＢＰＦを用いれば、衛星波２を受信可能であるものの、ＸＭ地上波から離れておらず、ＸＭ地上波の影響を受けてしまう。そして、符号Ｄで示すＢＰＦ特性を有するＢＰＦを用いて妨害波（ＸＭ地上波）の影響を除くには、Ｑ値の高いＢＰＦが必要となってしまう。
【００１８】
図１においては、ＳＩＲＩＵＳラジオ放送よりも高い周波数側にＸＭラジオ放送が位置しているが、ＳＩＲＩＵＳラジオ放送よりも低い高周波数側に他のラジオ放送が位置している場合もある。この際には、後述するようにして、妨害波の干渉が最も少ない衛星波を選択することになる。
【００１９】
上述の説明では、衛星波を受信する際の妨害波の干渉について説明したが、衛星波に限らず、ラジオ放送等の電波を受信する場合において、複数の信号波が同一の内容を送信し、周波数軸上にこれら信号波が順次配列された希望波を受信する際においても、妨害波の干渉が最も少ない信号波を受けるようにすればよい。
【００２０】
ここで、図４を参照して、受信機１０は、ＢＰＦ部１１を備えており、アンテナ（ＡＮＴ）１２で受信した電波（例えば、ＳＩＲＩＵＳ衛星波（衛星波１及び２）は、後述するようにして、ＢＰＦ部１１でフィルタリングされて、低雑音増幅器（ＬＮＡ）１３で増幅された後、周波数変換器（Ｄ／Ｃ）１４で低周波信号に変換される。その後、この低周波信号は、Ａ／Ｄコンバータ（ＡＤＣ）１５でデジタル信号に変換されて、復調・信号処理部（ＤＥＭ）１６において、復調処理されるとともに後述する信号処理が行われる。
【００２１】
ＤＥＭ１６で復調処理された信号（復調信号）は、Ｄ／Ａコンバータ（ＤＡＣ）１７でアナログ信号とされ、増幅器（ＡＭＰ）１８で増幅された後、音声又は音響としてスピーカ（ＳＰ）１９から出力される。
【００２２】
図５は図４に示す受信機を詳細に示すブロック図である。図５において受信機１０には、レベル検出部２１及びマイクロコンピュータ（マイコン）２２が備えられており、ＤＥＭ１６には信号処理機能として第１及び第２の搬送波対雑音比（Ｃ／Ｎ）判定部１６ａ及び１６ｂが備えられている。
【００２３】
また、前述のＢＰＦ部１１には、第１〜第４のスイッチ（ＳＷ）部３１〜３４が備えられるとともに、第１及び第２のＢＰＦ４１及び４２が備えられている。そして、図示の例では、第１及び第２のＢＰＦ４１及び４２は、それぞれ図３に符号Ｃ及びＤで示すＢＰＦ特性を有しており、後述するようにして、マイコン２２によって第１〜第４のＳＷ部３１〜３４が切替制御される。
【００２４】
次に動作について説明する。
図６は図５に示す受信機の動作を説明するためのフローチャートである。受信機１０がオンされると、マイコン２２は、第１及び第４のＳＷ部３１及び３４を切替制御して、第１及び第４のＳＷ部３１及び３４を直接接続する（バイパス路５１を形成する）。この結果、アンテナ１２は、第１及び第４のＳＷ部３１及び３４によってＬＮＡ１３に直接接続される。レベル検出部２１では、Ｄ／Ｃ１４の出力（低周波信号）のレベルを入力レベルとして検出しており、この入力レベル（検出レベル）はマイコン２２に与えられる。
【００２５】
マイコン２２では、検出レベルが予め規定されたレベルよりも大きいか否かを判定して（ステップＳＴ１）、入力レベルが予め規定されたレベルよりも小さいと、妨害波の干渉は少ない（妨害波無し）と判断し（ステップＳＴ２）、第１及び第４のＳＷ部３１及び３４を直接接続した状態を維持して、バイパス路５１を選択することになる（ステップＳＴ３）。
【００２６】
バイパス路５１を選択した際においては、図１に示す衛星波１及び２が受信されることになって、ＤＥＭ１６では、衛星波１及び２に応じた低周波信号に基づいて復調及び信号処理を行って、復調信号を送出することになる。
【００２７】
一方、ステップＳＴ１において、入力レベルが予め規定されたレベル以上となると、マイコン２２では、妨害波の干渉があると判定することになる。一方、第１及び第２のＣ／Ｎ判定部１６ａ及び１６ｂではそれぞれ衛星波１及び２に対応してＣ／Ｎ値を計測して、第１及び第２のＣ／Ｎ値を得て、これら第１及び第２のＣ／Ｎ値をマイコン２２に与える。ここでは、衛星波１及び２に対応してＣ／Ｎ値を計測することは、受信感度を判定することを意味する。
【００２８】
マイコン２２では、第１のＣ／Ｎ値≒第２のＣ／Ｎ値であるか否かを調べ（ステップＳＴ４）、ＹＥＳであればステップＳＴ１に戻り、ＮＯであればステップＳＴ５へ移行する。ステップＳＴ５では、第１のＣ／Ｎ値＜第２のＣ／Ｎ値であるか否かを調べ、第１のＣ／Ｎ値＜第２のＣ／Ｎ値でないと（第１のＣ／Ｎ値≧第２の値であると）、妨害波はＳＩＲＩＵＳラジオ放送波の衛星波２よりも周波数の高い側にあると判定する（ステップＳＴ６）。そして、マイコン２２では、第１及び第４のＳＷ部３１及び３４を切替制御して、第１及び第４のＳＷ部３１及び３４をそれぞれ第２のＳＷ部３２及び第３のＳＷ部３３に接続するとともに（ステップＳＴ７）、第２のＳＷ部３２及び第３のＳＷ部３３を切替制御して、第２のＳＷ部３２及び第３のＳＷ部３３を第１のＢＰＦ４１に接続する（ステップＳＴ８）。
【００２９】
前述のように、第１のＢＰＦ４１は、図３に示す符号ＣのＢＰＦ特性を有しているから、アンテナ１２で受信されたＳＩＲＩＵＳラジオ放送波は、第１のＢＰＦ４１で衛星波１が選択（フィルタリング）されて、ＬＮＡ１３に与えられることになる。この結果、妨害波から離れた衛星波１が選択されることになって、妨害波よる干渉を避けて受信感度を低下させることなく、希望波を受信できることになる。そして、衛星波１は妨害波から離れているから、第１のＢＰＦ４１のＱ値を高くする必要はなく、第１のＢＰＦ４１が高価になることはない。
【００３０】
また、ステップＳＴ５において、マイコン２２は第１のＣ／Ｎ値＜第２のＣ／Ｎ値であると、妨害波はＳＩＲＩＵＳラジオ放送波の衛星波１よりも周波数の低い側にあると判定する（ステップＳＴ９）。そして、マイコン２２では、第１及び第４のＳＷ部３１及び３４を切替制御して、第１及び第４のＳＷ部３１及び３４をそれぞれ第２のＳＷ部３２及び第３のＳＷ部３３に接続するとともに（ステップＳＴ１０）、第２のＳＷ部３２及び第３のＳＷ部３３を切替制御して、第２のＳＷ部３２及び第３のＳＷ部３３を第２のＢＰＦ４２に接続する（ステップＳＴ１１）。
【００３１】
前述のように、第２のＢＰＦ４２は、図３に示す符号ＤのＢＰＦ特性を有しているから、アンテナ１２で受信されたＳＩＲＩＵＳラジオ放送波は、第２のＢＰＦ４１で衛星波２が選択（フィルタリング）されて、ＬＮＡ１３に与えられることになる。この結果、妨害波から離れた衛星波２が選択されることになって、妨害波よる干渉を避けて受信感度を低下させることなく、希望波を受信できることになる。そして、衛星波２は妨害波から離れているから、第２のＢＰＦ４２のＱ値を高くする必要はなく、第２のＢＰＦ４２が高価になることはない。上述の説明から明らかなように、レベル検出部２１、第１及び第２のＣ／Ｎ判定部１６ａ及び１６ｂ、及びマイコン２２が判定手段として機能し、マイコン２２及びＢＰＦ部１１が選択手段として機能することになる。また、第１のＣ／Ｎ値に第２のＣ／Ｎ値がほぼ等しいときは、妨害波がＳＩＲＩＵＳ地上波であると判断し、この場合はフィルタリングを行わなくても良い。
【００３２】
以上のように、この実施の形態１によれば、同一の放送内容を有する複数の信号波を備える放送波を受信する際、放送波に対して妨害波が周波数の高い側に位置するか又は低い側に位置するかを、低周波信号のレベル値及び各信号波に関するＣ／Ｎ値に応じて判定して、その判定結果に応じて妨害波から離れた信号波を通過させるＢＰＦを選択するようにしたので、簡単な構成で、希望波の受信感度を低下させることなく希望波を受信することができるという効果が得られる。
【００３３】
実施の形態２．
図７はこの発明の実施の形態２による受信機を示す構成図であり、図５に示す構成要素と同一の構成要素については、同一の参照番号を付す。図７に示す実施の形態２では、図５に示した第１及び第２のＣ／Ｎ判定部１６ａ及び１６ｂの代わりにそれぞれ第１及び第２のビットエラーレート（ＢＥＲ）判定部１６ｃ及び１６ｄが用いられ、第１及び第２のＢＥＲ判定部１６ｃ及び１６ｄでは、それぞれ衛星波１及び２に対応してＢＥＲを計測して、第１及び第２のＢＥＲ値を得て、第１及び第２のＢＥＲ値をマイコン２２に与える。ここでは、衛星波１及び２に対応してＢＥＲ値を計測することは、受信感度を判定することを意味する。
【００３４】
そして、図７に示す受信機１０では、図５及び図６で説明したように動作することになるが、この際、マイコン２２では、第１及び第２のＢＥＲ値に応じて、第１〜第４のＳＷ部３１〜３４を切替制御して、妨害波から離れた信号波（衛星波１又は２）を受信することになる。なお、ここでは、レベル検出部２１、第１及び第２のＢＥＲ判定部１６ｃ及び１６ｄ、及びマイコン２２が判定手段として機能することになる。
【００３５】
以上のように、この実施の形態２によれば、同一の放送内容を有する複数の信号波を備える放送波を受信する際、放送波に対して妨害波が周波数の高い側に位置するか又は低い側に位置するかを、低周波信号のレベル値及び各信号波に関するＢＥＲ値に応じて判定して、その判定結果に応じて妨害波から離れた信号波を通過させるＢＰＦを選択するようにしたので、簡単な構成で、希望波の受信感度を低下させることなく希望波を受信することができるという効果が得られる。
【００３６】
実施の形態３．
図８はこの発明の実施の形態３による受信機を示す構成図であり、図５に示す構成要素と同一の構成要素については、同一の参照番号を付す。図８に示す実施の形態３では、図５に示したレベル検出部２１の代わりにレベル検出部６１が用いられており、このレベル検出部６１はアンテナ１２で受信された電波の受信レベル（受信強度）を検出して、受信レベル値（入力レベル）としてマイコン２２に与える。
【００３７】
マイコン２２では、受信レベル値が所定のレベル値より高いか否かを判定して、受信レベル値が所定のレベル値よりも低いと、図６で説明したステップＳＴ２に移行し、受信レベル値が所定のレベル値以上であると、図６で説明したステップＳＴ４に移行することになる。その後の動作は、図５及び図６で説明した動作と同様であるので、説明を省略する。
【００３８】
なお、図８において、第１及び第２のＣ／Ｎ判定部１６ａ及び１６ｂの代わりに、図７で説明した第１及び第２のＢＥＲ判定部１６ｃ及び１６ｄを用いるようにしてもよい。
【００３９】
以上のように、この実施の形態３においても、実施の形態１と同様の効果が得られる。
【００４０】
実施の形態４．
図９はこの発明の実施の形態４による受信機を示す構成図であり、図５に示す構成要素と同一の構成要素については、同一の参照番号を付す。図９に示す実施の形態４では、ＢＰＦ部１１の代わりにフィルタ部６２が備えられ、このフィルタ部６２は、前述の第１〜第４のＳＷ部３１〜３４を備えるとともに、第１及び第２のＢＰＦ４１及び４２の代わりにそれぞれＨＰＦ７１及びＬＰＦ７２を備えている。ＨＰＦ７１は、例えば、図１０に符号Ｇで示すフィルタ特性（ＨＰＦ特性）を備えており、衛星波２よりも周波数の高い電波の通過を許し、衛星波２の周波数よりも僅かに低い周波数に減衰点が位置している。一方、ＬＰＦ７２は、例えば、図１０に符号Ｆで示すフィルタ特性（ＬＰＦ特性）を備えており、衛星波１よりも周波数の低い電波の通過を許し、衛星波１の周波数よりも僅かに高い周波数に減衰点が位置している。
【００４１】
図９に示す受信機１０においては、図５及び図６で説明したようにして、放送波よりも周波数の高い側に妨害波が位置すると判定すると、マイコン１２では、第１〜第４のＳＷ部３１〜３４を切替制御して、アンテナ１２をＬＰＦ７２を介してＬＮＡ１３に接続する。この結果、妨害波から離れた位置にある衛星波１が選択受信されることになって、妨害波による干渉を防ぐことができる。
【００４２】
一方、放送波よりも周波数の低い側に妨害波が位置すると判定すると、マイコン１２では、第１〜第４のＳＷ部３１〜３４を切替制御して、アンテナ１２をＨＰＦ７１を介してＬＮＡ１３に接続する。この結果、妨害波から離れた位置にある衛星波２が選択受信されることになって、妨害波による干渉を防ぐことができる。
【００４３】
以上のように、この実施の形態４によれば、同一の放送内容を有する複数の信号波を備える放送波を受信する際、放送波に対して妨害波が周波数の高い側に位置するか又は低い側に位置するかを、低周波信号のレベル値及び各信号波に関するＣ／Ｎ値に応じて判定して、その判定結果に応じて妨害波から離れた信号波を通過させるフィルタを選択するようにしたので、簡単な構成で、希望波の受信感度を低下させることなく希望波を受信することができるという効果が得られる。
【００４４】
【発明の効果】
以上のように、この発明によれば、周波数を異にする複数の同一内容の信号波の１つを希望波として受信して出力し、希望波に対する妨害波が該希望波よりも周波数が高い側に位置するか低い側に位置するかを判定する判定手段と、この判定結果に応じて妨害波の周波数から最も離れた周波数の信号波を前記希望波として選択するように構成したので、簡単な構成で、隣接する帯域からの妨害波の干渉を防止して希望波の受信感度を低下させることなく、受信することができるという効果がある。
【図面の簡単な説明】
【図１】複数の衛星デジタルラジオ放送の周波数軸上での配列の一例を示す図である。
【図２】希望波が妨害波の干渉を受ける一例を示す図である。
【図３】妨害波の干渉を防止する際に用いられるフィルタの特性の一例を示す図である。
【図４】この発明の実施の形態１による受信機を示す構成図である。
【図５】図４に示す受信機を詳細に示すブロック図である。
【図６】図５に示す受信機の動作を説明するためのフローチャートである。
【図７】この発明の実施の形態２による受信機を示す構成図である。
【図８】この発明の実施の形態３による受信機を示す構成図である。
【図９】この発明の実施の形態４による受信機を示す構成図である。
【図１０】図９に示す受信機で用いられるハイパスフィルタ及びローパスフィルタの特性の一例を示す図である。
【符号の説明】
１０  受信機、１１  ＢＰＦ部、１２  アンテナ（ＡＮＴ）、１３  低雑音増幅器（ＬＮＡ）、１４  周波数変換器（Ｄ／Ｃ）、１５  Ａ／Ｄコンバータ（ＡＤＣ）、１６  復調・信号処理部（ＤＥＭ）、１６ａ，１６ｂ  搬送波対雑音比（Ｃ／Ｎ）判定部、１６ｃ，１６ｄ  ビットエラーレート（ＢＥＲ）判定部、１７  Ｄ／Ａコンバータ（ＤＡＣ）、１８  増幅器（ＡＭＰ）、１９  スピーカ（ＳＰ）、２１，６１  レベル検出部、２２  マイクロコンピュータ（マイコン）、３１〜３４  スイッチ（ＳＷ）部、４１，４２  バンドパスフィルタ（ＢＰＦ）、５１  バイパス路、６２  フィルタ部、７１  ハイパスフィルタ（ＨＰＦ）、７２  ローパスフィルタ（ＬＰＦ）。
【図１】
2004364175.tif 000003
【図２】
2004364175.tif 000004
【図３】
2004364175.tif 000005
【図４】
2004364175.tif 000006
【図５】
2004364175.tif 000007
【図６】
2004364175.tif 000008
【図７】
2004364175.tif 000009
【図８】
2004364175.tif 000010
【図９】
2004364175.tif 000011
【図１０】
2004364175.tif 000012